(57)【要約】【課題】直管形ランプのランプ長手方向の伸縮に対応できるランプシステムを提供する。【解決手段】ランプシステム10は、直管形ランプ13およびソケット14を備える。直管形ランプ13は、発光素子を収容した直管形のカバー20、およびカバー20の両端に配置された口金23を有する。両端の口金23の端面に先端がそれぞれランプ長手方向に対して交差する方向へ向けて突出する一対のランプピン30が突設されている。ソケット14は、ソケット本体41、ソケット本体41に配置され直管形ランプ13の一対のランプピン30が装着される回転子42、および回転子42に装着された一対のランプピン30が接続される一対の端子を有する。少なくとも回転子42はランプ長手方向に対して移動可能とする。【選択図】図１
2014170690.tif 000002
【特許請求の範囲】
【請求項１】
発光素子を収容した直管形のカバー、およびカバーの両端に配置された口金を有し、両端の口金の端面に先端がそれぞれランプ長手方向に対して交差する方向へ向けて突出する一対のランプピンが突設された直管形ランプと；
ソケット本体、ソケット本体に配置され直管形ランプの一対のランプピンが装着される装着部、および装着部に装着された一対のランプピンが接続される一対の端子を有し、少なくとも装着部がランプ長手方向に対して移動可能とするソケットと；
を具備していることを特徴とするランプシステム。
【請求項２】
ソケット本体は、装着部が配置される配置部、および配置部から離間した位置に器具取付部を有し、器具取付部側に対して配置部側がランプ長手方向に弾性変形可能とする
ことを特徴とする請求項１記載のランプシステム。
【請求項３】
ソケットをランプ長手方向に移動可能に支持する支持手段を具備している
ことを特徴とする請求項１記載のランプシステム。
【請求項４】
直管形ランプの口金の端面に一対のランプピン間から突起が突設され、
装着部は、一対のランプピンおよび突起が挿入される溝部を有し、挿入された一対のランプピンおよび突起とともにソケット本体に対して回転可能とする
ことを特徴とする請求項１ないし３いずれか一記載のランプシステム。
【請求項５】
ソケットは、突起を介して直管形ランプを支持可能とする
ことを特徴とする請求項４記載のランプシステム。
【発明の詳細な説明】
【技術分野】
【０００１】
本発明は、直管形ランプおよびソケットを用いるランプシステムに関する。
【背景技術】
【０００２】
従来、一般社団法人日本電球工業会規格ＪＥＬ８０１「Ｌ形口金付直管形ＬＥＤランプシステム」に準拠した直管形ランプおよびこの直管形ランプを装着するソケットを用いたランプシステムがある。
【０００３】
この直管形ランプは、例えば特許文献１に記載されているように、ランプ長手方向の両端に配置される口金のうち、一端の口金の端面に先端がそれぞれランプ長手方向に対して交差する外側方向へ向けて突出するＬ形の一対のランプピンが突設され、他端の口金の端面に１本の非給電側ピンが突設されている。
【０００４】
一方、対応するソケットに装着する直管形ランプは温度に応じてランプ長手方向に伸縮する場合がある。このため、特許文献１の直管形ランプは、非給電側ピンがこの非給電側ピンを支える端子に対してランプ長手方向に移動可能となっていて、一端側のランプピンがソケットに装着されていても、他端側の非給電側ピンがランプ長手方向に動いて吸収可能となっている。
【先行技術文献】
【特許文献】
【０００５】
【特許文献１】特開２０１２−１４２１９８号公報
【発明の概要】
【発明が解決しようとする課題】
【０００６】
例えば、ＪＥＬ８０１に準拠した直管形ランプとは電気特性の異なる直管形ランプを提供しようとする場合には、電気特性の異なる直管形ランプがＪＥＬ８０１に準拠したソケットに誤装着できてしまうと、直管形ランプ側とソケットを用いた器具側とで電気特性の不一致が生じてしまうため、ＪＥＬ８０１に準拠した直管形ランプの口金およびソケットとは異なる口金およびソケットを用いて互換性をなくす必要がある。また、直管形ランプが温度に応じてランプ長手方向に伸縮することを考慮することが好ましい。
【０００７】
本発明が解決しようとする課題は、直管形ランプのランプ長手方向の伸縮に対応できるランプシステムを提供することである。
【課題を解決するための手段】
【０００８】
本発明のランプシステムは、直管形ランプおよびソケットを備える。直管形ランプは、発光素子を収容した直管形のカバー、およびカバーの両端に配置された口金を有する。両端の口金の端面に先端がそれぞれランプ長手方向に対して交差する方向へ向けて突出する一対のランプピンが突設されている。ソケットは、ソケット本体、ソケット本体に配置され直管形ランプの一対のランプピンが装着される装着部、および装着部に装着された一対のランプピンが接続される一対の端子を有する。少なくとも装着部はランプ長手方向に対して移動可能とする。
【発明の効果】
【０００９】
本発明によれば、両端の口金の端面に先端がそれぞれランプ長手方向に対して交差する方向へ向けて突出する一対のランプピンを有する直管形ランプであっても、ソケットの少なくとも装着部がランプ長手方向に対して移動可能とすることにより、直管形ランプのランプ長手方向の伸縮に対応することが期待できる。
【図面の簡単な説明】
【００１０】
【図１】第１の実施形態を示すランプシステムの直管形ランプおよびソケットの斜視図である。
【図２】同上直管形ランプの斜視図である。
【図３】同上ソケットの分解状態の斜視図である。
【図４】同上ランプシステムの電気配線回路を示す回路図である。
【図５】同上ランプシステムの照明器具の斜視図である。
【図６】同上直管形ランプの温度によるランプ長手方向の変位とソケットとの関係を示し、(a)は直管形ランプが所定の温度範囲にある状態の断面図、(b)は直管形ランプが所定の温度範囲より高い温度にある状態の断面図、(c)は直管形ランプが所定の温度範囲より低い温度にある状態の断面図である。
【図７】第２の実施形態を示すランプシステムのソケットの分解状態の斜視図である。
【図８】同上ソケットの動作を説明する断面図である。
【図９】第３の実施形態を示すランプシステムのソケットの斜視図である。
【図１０】同上直管形ランプの温度によるランプ長手方向の変位とソケットとの関係を示し、(a)は直管形ランプが所定の温度範囲より高い温度にある状態の断面図、(b)は直管形ランプが所定の温度範囲より低い温度にある状態の断面図である。
【図１１】同上ランプシステムの照明器具の断面図である。
【図１２】第４の実施形態を示すランプシステムのソケットの側面図である。
【図１３】第５の実施形態を示すランプシステムのソケットの正面図である。
【図１４】同上ランプシステムの照明器具の斜視図である。
【図１５】同上ソケットの動作を説明する正面図である。
【発明を実施するための形態】
【００１１】
以下、第１の実施形態を、図１ないし図６を参照して説明する。
【００１２】
図５にランプシステム（ＬＥＤランプシステム）10の照明器具11の斜視図を示す。照明器具11は、例えば２灯用の埋込形照明器具である。
【００１３】
ランプシステム10は、長尺な器具本体12、この器具本体12内に配置される直管形ランプ13、および器具本体12の両端に対向配置されて直管形ランプ13の両端が装着されるソケット14，15などを備えている。
【００１４】
図２に示すように、直管形ランプ13は、少なくとも一部に透光性を有する円筒状のカバー20、このカバー20内に収容された発光モジュール21および電源回路22、およびカバー20の両端部にそれぞれ配設された口金23，24を備えている。なお、直管形ランプ13は、例えばアルミニウムなどの材料でランプ長手方向に沿って形成されたベース（図示せず）を備え、このベースに、発光モジュール21および電源回路22が搭載され、カバー20が取り付けられ、さらに、ベースの両端に、口金23，24が取り付けられている。
【００１５】
発光モジュール21は、例えばＬＥＤ素子やＥＬ素子などの半導体発光素子としての複数の発光素子26、および複数の発光素子26が実装された基板27を備えている。発光素子26がＬＥＤ素子の場合には、表面実装形のＳＭＤ（Surface Mount Device）パッケージを基板27に実装したり、複数のＬＥＤ素子を基板27に実装するＣＯＢ（Chip On Board）モジュールが用いられる。
【００１６】
電源回路22は、一端側の口金23から交流電源を入力し、発光素子26を点灯させるための所定の直流電力に変換して発光モジュール21に供給する。
【００１７】
両端の口金23，24は、共通の形状および構造を有している。図１に示すように、両端の口金23，24（図１には口金23のみを示すが、口金24も同形状）の端面には、直管形ランプ13の管軸を通り径方向に沿って突出する突条部29が形成され、この突条部29から管軸を中心として一対のランプピン30が突出されている。一対のランプピン30は、断面四角形状の平金属板にて形成されており、ランプ長手方向に沿って突出する脚部30a、およびこれら脚部30aの先端から他方の脚部30aに対して互いに離れるようにランプ長手方向に対して交差する外側方向に向けて突出する屈曲部30bを有するＬ形に折曲形成されている。そして、一対のランプピン30を備えた口金23，24は、例えば、日本電球工業会規格ＪＥＬ８０１「Ｌ形口金付直管形ＬＥＤランプシステム」に準拠し、Ｇ１３形口金との互換性がない。
【００１８】
口金23，24の端面で一対のランプピン30間には、ＪＥＬ８０１に規定されていない突起31が突設されている。この突起31は、一対のランプピン30の対向方向に沿って長い直方体形状に形成されている。一対のランプピン30間での突起31の長さ寸法Ｌはランプピン30の幅寸法W1より長く、幅寸法W2はランプピン30の幅寸法W1より広い。突起31の口金23，24の端面（突条部29）からの突出寸法H1は、ランプピン30の高さより低く、好ましくはランプピン30の高さの１／３から２／３程度の高さとしている。
【００１９】
なお、直管形ランプ13は、両端の口金23，24の一対のランプピン30が平行に突設されており、これら一対のランプピン30が並ぶ方向に平行な面と発光モジュール21の基板27とが平行になるように設けられている。
【００２０】
また、図１および図３に示すように、ソケット14，15（図１および図３にはソケット14のみを示すが、ソケット15も同形状）は、これらソケット14，15の外側面から直管形ランプ13の一対のランプピン30を挿入した後、直管形ランプ13の管軸を中心として９０°回転させることにより装着する回転装着方式が用いられている。
【００２１】
ソケット14，15は、器具本体12に設置されたソケット台35に取り付けられる。ソケット台35は、器具本体12に固定される固定部36からほぼＬ字形の台座部37が折曲され、全体として断面略コ字形に形成されている。台座部37には、ソケット14，15を取り付ける取付口38が形成されている。取付口38には、ソケット14，15が挿通可能な挿通口部38a、およびこの挿通口部38aより幅が狭い取付口部38bが形成されている。
【００２２】
ソケット14，15は、ソケット本体41、このソケット本体41内に配置される装着部としての回転子42および一対の端子43を備えている。なお、以下、ソケット14，15に関して、器具本体12に取り付ける側を基端、およびその反対側を先端と呼び、装着時に直管形ランプ13の端面に対向する面を前面である受金面44、その反対側を背面、および前面と背面との間を側面と呼ぶ。
【００２３】
ソケット本体41は、絶縁性を有する合成樹脂材料によって形成されており、背面が開口されたケース46、およびこのケース46の背面に取り付けられるカバー47を備えている。
【００２４】
ケース46の基端には器具本体12のソケット台35に取り付けられる器具取付部48が設けられている。器具取付部48は、ケース46の少なくとも両側に前後方向（ランプ長手方向）に沿って設けられた溝48aを有し、両側の溝48aが取付口部38bの両側の縁部に嵌り込んで取り付けられる。ケース46の先端面には、直管形ランプ13の一対のランプピン30が挿入可能な挿入口49が形成されている。ケース46の前面である受金面44には、挿入口49が連通されていて、挿入口49から挿入された一対のランプピン30の脚部30aが回転可能とするとともに回転子42が回転可能に配置される配置部としての円形の開口部50が形成されている。
【００２５】
ケース46内には一対の端子43を保持する一対の端子保持部が形成され、ケース46の基端面には電線挿入孔が形成されている。
【００２６】
ケース46内で、先端の挿入口49とは反対側であってその挿入口49に対向する開口部50の縁部には、壁部51が正面側から背面側に向けて垂直に突出形成されている。この壁部51は、直管形ランプ13がソケット14，15に対して適正な状態で挿入された場合、挿入口49から先に挿入された一方のランプピン30の屈曲部30bが壁部51より背面側に侵入して脚部30aが壁部51に当接し、直管形ランプ13がソケット14，15に対して所定の挿入位置に挿入されるのを許容し、また、例えば、直管形ランプ13がソケット14，15に対して離れている状態で挿入された場合、挿入口49から先に挿入された一方のランプピン30の屈曲部30bの先端が壁部51に当接し、直管形ランプ13がソケット14，15に対して所定の挿入位置に挿入されるのを規制するように構成されている。
【００２７】
また、カバー47の前面には、ケース46の背面を閉塞した状態でケース46に係止される複数の係止部52が形成され、ケース46との間で各端子43を位置決め保持する複数の保持突部53が突設されている。さらに、カバー47の前面には、ケース46の開口部50と同心円位置に、回転子42を回転可能に支持する一対の支持部54が突設されているとともにこれら支持部54の周囲に沿ってガイド壁55が突出形成されている。一対の支持部54間にはランプピン30が通過可能とする溝部54aが形成され、一対の支持部54の先端には回転可能に支持した回転子42を抜け止め係止する爪部54bが形成されている。また、ガイド壁55は、回転子42に所定の回転位置で節度を付与するための切欠部55aが９０°毎に形成されている。また、支持部54の前面は、回転子42の前面より背面側に窪んだ位置に配置され、その窪み寸法H2は突起31の突出寸法H1より大きく、ソケット14，15に装着された直管形ランプ13の突起31と干渉しない寸法とされている。カバー47の両側には、ケース46と同様に器具取付部48の溝48aが形成されている。
【００２８】
また、回転子42は、絶縁性を有する合成樹脂製で、カバー47の支持部54の周囲に回転可能に嵌合される円筒状に形成されている。回転子42の前寄り位置には、ランプピン30の通過を許容する溝部57が径方向に沿って形成されている。
【００２９】
回転子42の前部はケース46の開口部50内に回転可能に配置され、この回転子42の前面にはケース46の前面より突出して直管形ランプ13の口金23，24の突条部29がスライド嵌合する一対のガイド突部58が突出形成されている。さらに、回転子42の前面には、支持部54の周囲に回転可能に嵌合する円弧状の嵌合部59が形成され、この嵌合部59に支持部54の爪部54bが係止される段部59aが形成されている。回転子42の後部は支持部54とガイド壁55との間に配置され、この回転子42の後部外周面で溝部57の溝方向と平行な２箇所に、一対の位置決め突部60が突出形成されている。位置決め突部60がガイド壁55の切欠部55aに係合して回転子42の回転位置に節度を付与し、位置決め突部60の周辺で回転子42の一部が弾性変形することで位置決め突部60がガイド壁55の内周面に接触するとともにその内周面を摺動して回転子42の回転が許容される。
【００３０】
また、一対の端子43は、導電性を有する板ばねによって形成され、ケース46とカバー47との間に挟み込まれて保持されている。端子43には、ソケット本体41の電線挿入孔から挿入される電線が接続される電線接続部61、ランプピン30と接続されるランプピン接続部62が形成されている。
【００３１】
そして、ソケット14の挿入口49、回転子42の溝部57、および支持部54の溝部54aの幅寸法W3は、ランプピン30の幅寸法W1および突起31の幅寸法W2より広く、ランプピン30および突起31が挿通可能な寸法に形成されている。
【００３２】
さらに、ソケット本体41は、器具取付部48が器具本体12に取り付けられた状態で、この器具取付部48側に対して離間した位置に配置されているソケット本体41の先端側である回転子42側が、ソケット本体41自体（さらには、ソケット本体41を取り付ける器具本体12側の取付部材も含む）の弾性変形によってランプ長手方向に移動可能としている。なお、ソケット14を器具本体12のソケット台35に取り付けた状態では、ソケット台35の台座部37が弾性変形するように設けられているので、ソケット14の背面と器具本体12の端板との間にソケット14の弾性変形による移動を可能とするスペースが形成される。
【００３３】
また、図１に示すように、ソケット14，15には、ソケット14，15に装着する直管形ランプ13の挿入および回転に伴って、突起31の挿入移動および回転移動を可能とする凹部63が形成されている。この凹部63は、ソケット本体41の挿入口49および回転子42の溝部57の前側領域を共用して形成されているとともに、回転子42の嵌合部59の内側であって支持部54より前側領域に形成されている。
【００３４】
凹部63の最小幅部の幅寸法W3と、挿入口49、回転子42の溝部57、および支持部54の溝部54aの幅寸法W3と同じであり、これらの幅寸法W3は、突起31の幅寸法W2より広いが、指がソケット本体41の内部まで入らない寸法とされている。さらに、回転子42の前面から支持部54の前面までの凹部63の深さ寸法H2は、突起31の突出寸法H1より大きく、凹部63に突起31が挿入配置可能になっている。
【００３５】
各寸法の一例としては、突起31の突出寸法H1は２ｍｍ以上であって好ましくは３．５（＋０．２、−０）ｍｍ、幅寸法W2は最大で５ｍｍ、長さ寸法Ｌは７．５（±０．２）ｍｍであり、また、挿入口49、回転子42の溝部57、および支持部54の溝部54aの幅寸法W3は最大で５．２ｍｍ、凹部63の深さ寸法H2は３．５ｍｍである。
【００３６】
また、図４に、ランプシステム10の電気配線回路の回路図を示す。直管形ランプ13は、一端側の口金23の一対のランプピン30と電源回路22が有する一対の入力端子とがそれぞれ接続され、他端側の口金24の一対のランプピン30が短絡されている。両端のソケット14，15のそれぞれ一方の端子43に交流電源Ｅが供給され、両端のソケット14，15の他方の端子43が電線などで電気接続されている。なお、他端側の口金24の一対のランプピン30間には過電流が流れた際に回路を開放するヒューズを接続してもよい。
【００３７】
次に、このように構成されたランプシステム10において、突起31を有する直管形ランプ13と凹部63を有するソケット14，15との適合した組み合わせで、直管形ランプ13をソケット14，15に装着する場合には、直管形ランプ13の両端の口金23，24から突出する一対のランプピン30をソケット14，15の先端面から所定の挿入位置まで挿入した後、直管形ランプ13の管軸を中心として９０°回転させることにより、直管形ランプ13をソケット14，15に対して電気接続状態に装着することができる。
【００３８】
直管形ランプ13をソケット14，15に挿入する際には、ランプピン30をソケット14，15の挿入口49から回転子42の溝部57および支持部54の溝部54aに挿入する。このとき、突起31がソケット14，15の受金面44に設けられている凹部63（挿入口49、回転子42の溝部57の前側領域）内を移動し、直管形ランプ13の挿入を妨げることがない。
【００３９】
このようにして直管形ランプ13がソケット14，15の所定の挿入位置に挿入されると、挿入口49から先に挿入された一方のランプピン30の屈曲部30bがケース46の壁部51より背面側に侵入して脚部30aが壁部51に当接し、一対のランプピン30が回転子42内に配置され、直管形ランプ13を回転子42とともにソケット14，15に対して回転可能となる。
【００４０】
ソケット14，15に対して所定の挿入位置に挿入された直管形ランプ13を回転させる際には、直管形ランプ13の光の出射方向が所定の照射方向に向く方向に、直管形ランプ13の管軸を中心として９０°回転させる。これにより、一対のランプピン30が支持部54より外径側で回転子42に当接し、直管形ランプ13と一緒に回転子42が回転する。このとき、突起31は支持部54に干渉することなく支持部54の前側領域の凹部63内を回転移動し、直管形ランプ13の回転を妨げることがない。
【００４１】
そして、直管形ランプ13の回転途中で、一対のランプピン30の脚部30aが一対の端子43のランプピン接続部62に接続される。
【００４２】
直管形ランプ13を所定の装着位置に回転させると、回転子42の溝部57がソケット14，15の挿入口49の位置から外れて開口部50の縁部で閉鎖され、一対のランプピン30がソケット14，15の挿入口49から脱落するのが防止される。さらに、一対のランプピン30の屈曲部30bが端子43の背面側に配置され、ランプピン30がソケット14，15から脱落するのが防止される。
【００４３】
そして、図４に示すように、直管形ランプ13をソケット14，15に接続した状態では、交流電源Ｅの一方の極側が一端側のソケット14から一方のランプピン30を通じて電源回路22に接続されるとともに、他方の極側が他端側のソケット15および他端側の口金24の短絡されている一対のランプピン30を通じるとともに一端側のソケット14から他方のランプピン30を通じて電源回路22に接続される。これにより、一端側の口金23の一対のランプピン30から電源回路22に交流電源Ｅが供給され、電源回路22で交流電源Ｅを所定の直流電力に変換して発光モジュール21に供給し、発光素子26が点灯する。点灯した発光素子26からの光がカバー20を透過して照明器具11の下方の所定の照射方向へ照射される。
【００４４】
なお、直管形ランプ13の一端側の口金23と他端側の口金24とを逆向きでソケット14，15間に装着した場合には、他端側のソケット15から交流電源Ｅが電源回路22に供給されることになる。そのため、直管形ランプ13の装着方向が限定されず、直管形ランプ13の装着作業性がよい。
【００４５】
一方、直管形ランプ13を外す場合には、例えば直管形ランプ13を装着時とは反対方向に９０°回転させる。これにより、一対のランプピン30と一緒に回転する回転子42の溝部57がソケット14，15の挿入口49に一致するため、ソケット14，15の挿入口49を通じて一対のランプピン30を抜き外すことができる。このときにも、突起31が凹部63内を移動し、直管形ランプ13を外すのを妨げることはない。
【００４６】
また、突起31を備えた直管形ランプ13を、凹部63を備えない不適合ソケットに装着しようとした場合について説明する。なお、凹部63を備えない不適合ソケットの説明に本実施形態と対応する構成の符号を括弧書きで示す。
【００４７】
直管形ランプ13が突起31の幅寸法W2をランプピン30の幅寸法W1より広くしている場合、すなわち、突起31の幅寸法W2が不適合ソケット(14，15)の挿入口(49)の幅寸法より広い場合、突起31が不適合ソケット(14，15)の挿入口(49)に挿入できずに止まるため、直管形ランプ13を不適合ソケット(14，15)の所定の挿入位置に挿入することができず、直管形ランプ13の誤装着を防止できる。
【００４８】
また、突起31を備えないＪＥＬ８０１に準拠した口金を有する直管形ランプ（以下、不適合直管形ランプと呼ぶ）は、一端側の口金に一対のＬ形ランプピンが突設されているが、他端側の口金には１本のＴ形ピンが突設されているため、口金形状が異なり、本ランプシステム10のソケット14，15間に適式に装着することはできない。仮に、不適合直管形ランプの一端側の口金の一対のＬ形ランプピンを一端側のソケット14に装着できたとしても、本ランプシステム10では、図４の電気配線回路に示すように、直管形ランプ13の他端側の口金24の一対のランプピン30が短絡されていないと閉回路とならない電気配線回路構成となっているため、交流電源Ｅが不適合直管形ランプに供給されることはなく、誤装着を防止できる。
【００４９】
さらに、直管形ランプ13の両端がソケット14，15に接続されないと電気が流れない電気配線回路構成となっているため、直管形ランプ13の装着時に、例えば、一端側の口金23がソケット14に装着されてランプピン30が端子43に接続され、他端側の口金24がソケット15に接続されずに斜めになり、その口金24のランプピン30に作業者が触れたとしても感電することはない。
【００５０】
このように、ランプシステム10では、直管形ランプ13の口金23，24に突起31を突設し、ソケット14，15に一対のランプピン30の挿入および回転に伴って突起31が挿入および回転移動する凹部63を設けることにより、適合している直管形ランプ13をソケット14，15に装着できるとともに、この直管形ランプ13を凹部63を備えていない不適合ソケットに誤装着されるのを防止することができる。
【００５１】
また、突起31を口金23，24の端面において一対のランプピン30の間に配置することにより、凹部63はソケット本体の挿入口49および回転子42の溝部57と共用して設けることができ、凹部63を設けてもソケット14，15が複雑化するのを防止できる。しかも、口金23，24の端面からの突起31の突出寸法を大きくしやすく、直管形ランプ13の管長に誤差があっても、不適合なソケットに誤装着されるのを確実に防止できる。
【００５２】
さらに、突起31の幅寸法W2を一対のランプピン30の幅寸法W1より広く形成することにより、直管形ランプ13を凹部63を備えないソケット(14，15)の挿入口(49)に挿入するのを規制し、直管形ランプ13の誤装着を防止できる。なお、この場合には長手方向の寸法Ｌはランプピン30の幅寸法W1よりも狭くしてもよい。
【００５３】
また、直管形ランプ13は、交流電源Ｅを変換して発光素子26に供給する電源回路22を内蔵し、一端側の一対のランプピン30が電源回路22にそれぞれ接続され、他端側の一対のランプピン30が短絡されたおり、両端のソケット14，15のそれぞれ一方の端子43に交流電源Ｅが供給され、両端のソケット14，15の他方の端子43が接続されている電気配線回路に構成されているため、不適合な直管形ランプが接続されても給電することがなく、不適合な直管形ランプの誤装着を防止できる。
【００５４】
図６には、直管形ランプ13の温度によるランプ長手方向の変位とソケット14，15との関係を示す。直管形ランプ13は、アルミニウム材料で形成されたベースを備えている場合、雰囲気温度や点灯時の発熱によって温度変化し、仮に５℃〜５５℃（温度差５０℃）の範囲での温度変化であると、ランプ長手方向の寸法の変化量は最大で２ｍｍ程度と想定される。
【００５５】
図６(a)には、温度変化範囲の中間温度にある場合の直管形ランプ13とソケット14，15の状態を示す。この状態では、口金23，24の端面とソケット14，15の前面とが略平行で、突起31が回転子42の凹部63内に配置されている。
【００５６】
図６(b)に示すように、直管形ランプ13の温度が温度変化範囲の中間温度より上昇し、直管形ランプ13がランプ長手方向に伸長すると、直管形ランプ13で両端のソケット14，15がランプ長手方向の外側へ押されて移動する。すなわち、器具本体12に取り付けられている器具取付部48側に対して離間したソケット本体41の先端側（回転子42側）が、ソケット本体41自体（さらには、ソケット本体41を取り付ける器具本体12側の取付部材も含む）の弾性変形によってランプ長手方向の外側に揺動する。この場合、口金23，24の端面に対してソケット14，15の前面が斜めになったとしても、突起31は回転子42の凹部63内に配置されている。
【００５７】
図６(c)に示すように、直管形ランプ13の温度が温度変化範囲の中間温度より下降し、直管形ランプ13がランプ長手方向に収縮したとしても、直管形ランプ13のランプ長手方向の寸法の変化量は最大で２ｍｍ程度であるのに対して、突起31の突出寸法H1は３．５ｍｍであるため、突起31は回転子42の凹部63内から外れることなく凹部63内に配置されている。なお、ソケット14，15間への直管形ランプ13の装着時に、ソケット14，15の間隔が直管形ランプ13の長さ寸法より狭く、装着する直管形ランプ13でソケット14，15をランプ長手方向の外側に弾性変形させている場合には、直管形ランプ13がランプ長手方向に収縮することにより、両端のソケット14，15の先端側（回転子42側）がランプ長手方向の内側へ揺動する。この場合で、口金23，24の端面に対してソケット14，15の前面が斜めになったとしても、突起31は回転子42の凹部63内に配置されている。
【００５８】
このように、本実施形態のランプシステム10では、両端の口金23，24の端面に先端がそれぞれランプ長手方向に対して交差する外側方向へ向けて突出する一対のランプピン30を有する直管形ランプ13であっても、ソケット14，15がランプ長手方向に対して移動可能とすることにより、直管形ランプ13のランプ長手方向の伸縮に対応することができる。
【００５９】
また、器具本体12に取り付けられているソケット本体41の器具取付部48側に対して離間したソケット本体41の先端側（回転子42側）が、ソケット本体41自体の弾性変形によってランプ長手方向に移動可能とすることにより、簡単な構成で、直管形ランプ13のランプ長手方向の伸縮に対応することができる。
【００６０】
なお、本実施形態では、ソケット台35が弾性変形する場合を説明したが、ソケット14，15が器具本体12に取り付けられる場合には、器具本体12のソケット取付部が弾性変形することでソケット14，15がランプ長手方向に移動可能となっていてもよい。さらに、ソケット14，15とソケット台35（または器具本体12のソケット取付部）とがランプ長手方向に相対的に弾性スライド可能に取り付けられていてもよい。
【００６１】
また、図６に示すように、直管形ランプ13がいずれの温度に合っても、突起31は回転子42の凹部63内に配置され、すなわち突起31と回転子42の凹部63とが上下方向に重なっている。そのため、突起31が回転子42の凹部63の内面に接触する場合には、ソケット14，15が突起31を介して直管形ランプ13を受けて支持することができる。この場合には、ランプピン30と端子43との電気的な接続に対して、ソケット14，15による直管形ランプ13の機械的な支持を分離できるため、ランプピン30と端子43との電気的な接続を安定して行うことができる。
【００６２】
次に、図７および図８に第２の実施形態を示す。なお、第１の実施形態と同じ構成および作用効果については同じ符号を用いてその説明を省略する。
【００６３】
本実施形態では、回転子42がソケット本体41に対してランプ長手方向に移動する構成となっている。すなわち、回転子42の前後方向（ランプ長手方向）の長さがソケット本体41内でランプ長手方向に移動可能とする長さとされ、この回転子42とカバー47との間に付勢手段としてのコイル状のスプリング70が配置されている。スプリング70によって回転子42がソケット本体41の前面側へ向けて常に付勢されている。
【００６４】
そして、直管形ランプ13のランプ長手方向への伸縮に対応して回転子42がソケット本体41に対してランプ長手方向に移動し、直管形ランプ13のランプ長手方向の伸縮に対応することができる。
【００６５】
また、図８には、直管形ランプ13をソケット14，15に装着する際に、斜め方向からランプピン30を回転子42の溝部57などに挿入されるとともに、直管形ランプ13の管軸を中心とする周方向における突起31と回転子42の溝部57との回転位置がずれている場合を示す。この場合、突起31が回転子42の溝部57に挿入されずに回転子42に干渉するが、回転子42がソケット本体41の奥側に移動するとともにスプリング70で付勢されていることにより、突起31が回転子42の溝部57に挿入されやすくなる。さらに、突起31が回転子42の溝部57に挿入されることにより、ランプピン30を回転子42の溝部57の適正な位置にガイドさせながら、直管形ランプ13をソケット14，15に挿入することができる。
【００６６】
次に、図９ないし図１１に第３の実施形態を示す。なお、各実施形態と同じ構成および作用効果については同じ符号を用いてその説明を省略する。
【００６７】
ソケット14，15は、丸形ソケットであり、器具本体12の両端の端板に設けられた一対の取付孔73を利用して取り付けられる構造となっている。
【００６８】
ソケット14，15は、前記各実施形態と同様に、直管形ランプ13の管軸を中心として９０°回転させることにより装着する回転装着方式であり、ソケット本体41、このソケット本体41に配置される回転子42および一対の端子43（図示せず）を備えている。
【００６９】
ソケット本体41の両側には、先端に爪部74を有する一対の係止爪75がソケット本体41の背面よりも突出して設けられている。一対の爪部74の間隔は一対の取付孔73の間隔より広く、
ソケット本体41の背面には、ソケット本体41を器具本体12の端板に対して離反させる方向に付勢する支持手段76としての板ばね77が取り付けられている。この板ばね77は、中間部がソケット本体41の背面側に突出するとともに両端がソケット本体41の背面から離反するように折り曲げられている。板ばね77の両端には、係止爪75が挿通される挿通孔78が形成されているとともに、断面略Ｌ字形に折曲されて器具本体12の端板に当接する当接部79が形成されている。
【００７０】
そして、図１０(a)に示すように、例えば、直管形ランプ13が温度変化範囲の中間温度にあるような場合、板ばね77の付勢でソケット14，15を直管形ランプ13へ向けて移動し、爪部74が器具本体12の端板に引っ掛かることでその移動が規制される。
【００７１】
また、図１０(b)に示すように、直管形ランプ13の温度が上昇し、直管形ランプ13がランプ長手方向に伸長すると、直管形ランプ13で両端のソケット14，15がランプ長手方向の外側へ押され、板ばね77が収縮することよってソケット14，15がランプ長手方向の外側へ移動する。
【００７２】
また、直管形ランプ13の温度が下降し、直管形ランプ13がランプ長手方向に収縮したとしても、直管形ランプ13の突起31は回転子42の凹部63内から外れることなく凹部63内に配置されている。
【００７３】
このように、丸形のソケット14，15を用いたランプシステム10においても、ソケット14，15自体がランプ長手方向に移動することにより、直管形ランプ13のランプ長手方向の伸縮に対応することができる。
【００７４】
次に、図１２に第４の実施形態を示す。なお、各実施形態と同じ構成および作用効果については同じ符号を用いてその説明を省略する。
【００７５】
丸形のソケット14，15を用いるとともに、このソケット14，15を支持手段76としての取付金具81を用いて器具本体12に取り付ける。取付金具81は、器具本体12に取り付けられる器具取付板部82とソケット14，15を取り付けるソケット取付板部83とを有する断面Ｌ字形に形成されている。そして、取付金具81は、器具取付板部82に対してソケット取付板部83がランプ長手方向に弾性変形可能とする。
【００７６】
このように、ソケット14，15自体がランプ長手方向に移動することにより、直管形ランプ13のランプ長手方向の伸縮に対応することができる。
【００７７】
なお、支持手段76は、ソケット14，15を器具本体12側に対してランプ長手方向に沿ってスライドするように支持してもよい。
【００７８】
次に、図１３ないし図１５に第５の実施形態を示す。なお、各実施形態と同じ構成および作用効果については同じ符号を用いてその説明を省略する。
【００７９】
ソケット14，15は、第１の実施形態と同様に、器具取付部48を設けたソケット本体41を有する構造である。その器具取付部48に、支持手段67として例えばシリコーンゴムなどの柔軟性を有するカバー85を配置し、このカバー85を介して器具取付部48を器具本体12側に取り付ける。
【００８０】
この構成により、ソケット14，15は、カバー85によってランプ軸方向に移動可能となり、直管形ランプ13のランプ長手方向の伸縮に対応することができる。
【００８１】
また、図１５に示すように、一対の端子43の間隔W11は、ＪＥＬ８０１に準拠した口金を有する直管形ランプ90のＴ形ピンである非給電側ピン91の幅よりも広い関係を有している。
【００８２】
例えば、一対の端子43の間隔W11は９ｍｍ、非給電側ピンの長手方向の幅W12は８．０〜８．４ｍｍおよび短手方向の幅W13は４．６〜５．０ｍｍである。
【００８３】
この寸法関係により、非給電側ピンが無理に給電側のソケット14の回転子42に挿入されて９０°回転したとしても、一対の端子43間が短絡することはなく、交流電源が非給電側ピンを通じて直管形ランプに給電されることはない。
【００８４】
なお、両端のソケット14，15の両方をランプ長手方向に移動可能としてもよいが、少なくとも一方をランプ長手方向に移動可能とすれば上述した作用効果が得られる。
【００８５】
また、突起31の形状は、前記実施形態のような四角形に限らず、多角形でもよい。いずれの形状の突起61でも、この突起31を備えた直管形ランプ13を、凹部63を備えない不適合ソケットに装着しようとした場合、誤挿入を防止でき、仮に誤挿入された場合でも回転を防止でき、さらに、直管形ランプ13のランプ長手方向の収縮時におけるソケット14，15からの脱落を防止できる。
【００８６】
また、突起31の幅寸法W2はランプピン30の幅寸法W1より大きいことにより、突起31を備えた直管形ランプ13を、凹部63を備えない不適合ソケットに装着しようとした場合に、誤挿入されるのを確実に防止することができる。
【００８７】
また、突起31の高さ寸法H1は、ランプピン30の高さより低く、好ましくはランプピン30の高さの１／３から２／３程度の高さとすることにより、ソケット14，15の設計を容易にできる。
【００８８】
また、突起31は直管形ランプ13のランプ長手方向の両端にあってもよいが、一端のみにあっても上述した作用効果が得られる。
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９０】
10    ランプシステム
13    直管形ランプ
14，15    ソケット
20    カバー
23，24    口金
26    発光素子
30    ランプピン
31    突起
41    ソケット本体
42    装着部としての回転子
43    端子
48    器具取付部
50    配置部としての開口部
57    溝部
76    支持手段
【図１】
2014170690.tif 000003
【図２】
2014170690.tif 000004
【図３】
2014170690.tif 000005
【図４】
2014170690.tif 000006
【図５】
2014170690.tif 000007
【図６】
2014170690.tif 000008
【図７】
2014170690.tif 000009
【図８】
2014170690.tif 000010
【図９】
2014170690.tif 000011
【図１０】
2014170690.tif 000012
【図１１】
2014170690.tif 000013
【図１２】
2014170690.tif 000014
【図１３】
2014170690.tif 000015
【図１４】
2014170690.tif 000016
【図１５】
2014170690.tif 000017